(57)【要約】  【課題】  文字列を表す画像情報からその文字列に対応した文字データをより効率的に取得することのできるイメージ処理装置提供することである。  【解決手段】  第一の画像情報にて表される第一の文字列に対応した第一の文字データを第一のオペレータ端末から所定数受信したときに、該所定数の第一の文字データにて表される所定数の文字列の所定の規則に従った順序付けの順番にて、前記所定数の第一の文字データのそれぞれに対応した第一の文字列を表す第一の画像情報に関連付けられた第二の画像情報の配布順序を決定する画像配布順序決定手段（Ｓ２３）と、その決定された配布順序に従って所定数の第二の画像情報を表示に供すべき情報として前記所定のネットワークを介して第二のオペレータ端末に送信する第二の画像情報送信手段（Ｓ２４）とを有する構成となる。【選択図】  図１１
2005202773.tif 000002
【特許請求の範囲】
【請求項１】
第一のオペレータ端末及び第二のオペレータ端末が所定のネットワークを介して接続されたイメージ処理装置であって、
少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段と、
前記画像情報蓄積手段に蓄積された所定数の第一の画像情報を表示に供すべき情報として前記所定のネットワークを介して前記第一のオペレータ端末に送信する第一の画像情報送信手段と、
前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定手段と、
前記画像配布決定手段にて決定された配布順序に従って前記画像情報蓄積手段に蓄積された所定数の第二の画像情報を表示に供すべき情報として前記所定のネットワークを介して前記第二のオペレータ端末に送信する第二の画像情報送信手段と、
前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御手段とを有することを特徴とするイメージ処理装置。
【請求項２】
前記画像配布順序決定手段は、前記第一の文字データにて表される文字列の先頭から所定文字数分の文字にて表されるファイル名にて特定されるファイルとして前記第一の文字データを前記第一のオペレータ端末から受信する毎に該ファイル名を蓄積する待ち行列蓄積手段と、
前記待ち行列蓄積手段に蓄積された所定数のファイル名を前記所定の規則に従った順序付けの順番にてソートするソート手段とを有し、
前記ソート手段にてソートされた前記所定数のファイル名の順番にて、前記第二の画像情報の配布順序を決定することを特徴とする請求項１記載のイメージ処理装置。
【請求項３】
前記第一の文字列はカナ文字列であり、前記第二の文字列は該かな文字列に対応した漢字文字列であることを特徴とする請求項１または２記載のイメージ処理装置。
【請求項４】
前記所定の規則に従った順序付けは、５０音順に従った順序付けであることを特徴とする請求項３記載のイメージ処理装置。
【請求項５】
前記第一の文字列の文字数は、前記第二の文字列の文字数より少ないことを特徴する請求項１または２記載のイメージ処理装置。
【請求項６】
前記第一の文字列は郵便番号を表す文字列であり、前記第二の文字列は該郵便番号に対応した住所を表す文字列であることを特徴とする請求項５記載のイメージ処理装置。
【請求項７】
前記所定の規則に従った順序付けは、郵便番号の昇順または降順に従った順序付けであることを特徴とする請求項６記載のイメージ処理装置。
【請求項８】
第一のオペレータ端末及び第二のオペレータ端末が所定のネットワークを介して接続された装置でのイメージ処理方法であって、
少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段に蓄積された所定数の第一の画像情報を表示に供すべき情報として前記所定のネットワークを介して前記第一のオペレータ端末に送信する第一の画像情報送信ステップと、
前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定ステップと、
前記画像配布決定ステップにて決定された配布順序に従って前記画像情報蓄積手段に蓄積された所定数の第二の画像情報を表示に供すべき情報として前記所定のネットワークを介して前記第二のオペレータ端末に送信する第二の画像情報送信ステップと、
前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御ステップとを有することを特徴とするイメージ処理方法。
【請求項９】
前記画像配布順序決定ステップは、前記第一の文字データにて表される文字列の先頭から所定文字数分の文字にて表されるファイル名にて特定されるファイルとして前記第一の文字データを前記第一のオペレータ端末から受信する毎に該ファイル名を待ち行列蓄積手段に蓄積する待ち行列制御ステップと、
前記待ち行列蓄積手段に蓄積された所定数のファイル名を前記所定の規則に従った順序付けの順番にてソートするソートステップとを有し、
前記ソートステップにてソートされた前記所定数のファイル名の順番にて、前記第二の画像情報の配布順序を決定することを特徴とする請求項８記載のイメージ処理方法。
【請求項１０】
第一のオペレータ端末及び第二のオペレータ端末が所定のネットワークを介して接続されたコンピュータ装置での処理ステップを実行させるためのプログラムであって、
少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段に蓄積された所定数の第一の画像情報を表示に供すべき情報として前記所定のネットワークを介して前記第一のオペレータ端末に送信する第一の画像情報送信ステップと、
前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定ステップと、
前記画像配布決定ステップにて決定された配布順序に従って前記画像情報蓄積手段に蓄積された所定数の第二の画像情報を表示に供すべき情報として前記所定のネットワークを介して前記第二のオペレータ端末に送信する第二の画像情報送信ステップと、
前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御ステップとを前記コンピュータ装置に実行させるためのプログラム。
【請求項１１】
前記画像配布順序決定ステップは、前記第一の文字データにて表される文字列の先頭から
所定文字数分の文字にて表されるファイル名にて特定されるファイルとして前記第一の文字データを前記第一のオペレータ端末から受信する毎に該ファイル名を待ち行列蓄積手段に蓄積する待ち行列制御ステップと、
前記待ち行列蓄積手段に蓄積された所定数のファイル名を前記所定の規則に従った順序付けの順番にてソートするソートステップとを有し、
前記ソートステップにてソートされた前記所定数のファイル名の順番にて、前記第二の画像情報の配布順序を決定することを特徴とする請求項１０記載のプログラム。
【請求項１２】
イメージ処理装置と、該イメージ処理装置に所定のネットワークを介して接続された第一のオペレータ端末と、前記イメージ処理装置に所定のネットワークを介して接続された第二のオペレータ端末とを備え、
前記イメージ処理装置は、少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段と、
前記画像情報蓄積手段に蓄積された所定数の第一の画像情報を前記所定のネットワークを介して前記第一のオペレータ端末に送信する第一の画像情報送信手段とを有し、
前記第一のオペレータ端末は、第一の表示ユニットと、
前記イメージ処理装置から受信した第一の画像情報に基づいて前記第一の文字列を前記第一の表示ユニットに表示させる第一の表示制御手段と、
オペレータの入力操作に応じて前記第一の表示ユニットに表示された第一の文字列に対応した第一の文字データを入力する第一の文字データ入力手段と、
前記第一の文字データ入力手段にて入力された第一の文字データを前記所定のネットワークを介して前記イメージ処理装置に送信する第一の文字データ送信手段とを備え、
前記イメージ処理装置は、前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定手段と、
前記画像配布決定手段にて決定された配布順序に従って前記画像情報蓄積手段に蓄積された所定数の第二の画像情報を前記所定のネットワークを介して前記第二のオペレータ端末に送信する第二の画像情報送信手段とを有し、
前記第二のオペレータ端末は、第二の表示ユニットと、
前記イメージ処理装置から受信した第二の画像情報に基づいて前記第二の文字列を前記第二の表示ユニットに表示させる第二の表示制御手段と、
オペレータの入力操作に応じて前記第二の表示ユニットに表示された第二の文字列に対応した第二の文字データを入力する第二の文字データ入力手段と、
前記第二の文字データ入力手段にて入力された第二の文字データを前記所定のネットワークを介して前記イメージ処理装置に送信する第二の文字データ送信手段とを備え、
前記イメージ処理装置は、更に、前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御手段を有することを特徴とするイメージ処理システム。
【請求項１３】
前記第一のオペレータ端末は、前記第一の文字データ入力手段にて入力された第一の文字データにて表される文字列の先頭から所定文字数分の文字にて表されるファイル名にて特定されるファイルとして前記第一の文字データを前記第一の文字データ送信手段に送信させる制御手段を有し、
前記イメージ処理装置における前記画像配布順序決定手段は、前記ファイルとして前記
第一の文字データを受信する毎に、前記ファイルを特定するファイル名を待ち行列蓄積手段に蓄積する待ち行列蓄積制御手段と、
前記待ち行列蓄積手段に蓄積された所定数のファイル名を前記所定の規則に従った順序付けの順番にてソートするソート手段とを有し、
前記ソート手段にてソートされた前記所定数のファイル名の順番にて、前記第二の画像情報の配布順序を決定することを特徴とする請求項１２記載のイメージ処理システム。
【発明の詳細な説明】
【技術分野】
【０００１】
本発明は、文字列を表す画像情報に基づいてその文字列に対応した文字データを取得して保存するイメージ処理装置、方法及びプログラム並びにそのイメージ処理装置が適用されるイメージ処理システムに関する。
【背景技術】
【０００２】
従来、医療カルテ等の帳票を光学的に読み取って得られた画像情報からその帳票上の各欄（例えば、カルテ番号、患者氏名欄、患者住所欄、担当医師氏名欄、検査結果欄等）に手書きされた文字を分割画像情報として抽出し、各分割画像情報が表す文字列に対応した文字データを取得して保存するシステムが提案されている（例えば、特開平１１−１４３９７３号公報）。この従来のシステムでは、帳票を光学的に読み取るスキャナからの画像情報をイメージ処理コンピュータが取り込み、該イメージ処理コンピュータがその画像情報から帳票上の各欄に対応した分割画像情報を抽出する。そして、イメージ処理コンピュータは、帳票上の各欄に対応した分割画像情報を複数の作業者端末に入力管理コンピュータ及びネットワークを介して分配送信する。
【０００３】
各作業者端末では、受信した分割画像情報が表す帳票上の欄の画像が画面表示され、その画像を見ながら作業者がその欄に記載された（手書きされた）文字列に対応した文字データを入力すると、その文字データが入力管理コンピュータに送信される。入力管理コンピュータは、各作業者端末から帳票上の各欄に対応した文字データを受信すると、それらの文字データを帳票上の各欄に記載された文字列を表すものとして蓄積管理する。
【０００４】
このようなシステムによれば、帳票の各欄に記載された文字列を表す画像が複数の作業端末に分割画像情報として分配され、各作業端末での入力作業が非常に限られた情報（例えば、１つの欄に記載された文字列）についてだけしかなされないので、帳票上に個人情報が記載されていたとしても、各作業者がその個人情報全体を知ることはできない。従って、プライバシー保護を高度に維持しつつ、帳票上に手書き記入された文字をコンピュータにて処理可能な文字データに変換することが可能となる。
【特許文献１】特開平１１−１４３９７３号公報
【発明の開示】
【発明が解決しようとする課題】
【０００５】
しかし、上述したようなシステムでは、各作業端末に配布すべき分割画像情報の順番については特に考慮されていないので、各作業端末での入力操作が必ずしも効率的に行われ得るものではない。
【０００６】
本発明は、このような従来の欠点を解決するためになされたもので、文字列を表す画像情報からその文字列に対応した文字データをより効率的に取得することのできるイメージ処理装置、方法及びプログラムを提供するものであり、更に、そのようなイメージ処理装置が適用されるイメージ処理システムを提供するものである。
【課題を解決するための手段】
【０００７】
本発明に係るイメージ処理装置は、第一のオペレータ端末及び第二のオペレータ端末が所定のネットワークを介して接続されたイメージ処理装置であって、少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段と、前記画像情報蓄積手段に蓄積された所定数の第一の画像情報
を表示に供すべき情報として前記所定のネットワークを介して前記第一のオペレータ端末に送信する第一の画像情報送信手段と、前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定手段と、前記画像配布決定手段にて決定された配布順序に従って前記画像情報蓄積手段に蓄積された所定数の第二の画像情報を表示に供すべき情報として前記所定のネットワークを介して前記第二のオペレータ端末に送信する第二の画像情報送信手段と、前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御手段とを有する構成となる。
【０００８】
このような構成により、所定数の第一の画像情報が第一のオペレータ端末に送信されると、第一のオペレータ端末では、その所定数の第一の画像情報のそれぞれにて表される第一の文字列に対応した第一の文字データの入力操作を行うことができるようになる。その第一の文字データが第一のオペレータ端末から所定数受信されると、所定数の第一の文字データにて表される所定数の文字列の所定の規則に従った順序付けの順番にて、前記所定数の第一の文字データのそれぞれに対応した第一の文字列を表す第一の画像情報に関連付けられた第二の画像情報の配布順序が決定される。第一のオペレータ端末にて入力される第一の文字データが表す文字列が第一の文字列と一致するものであれば、第一の文字列と第二の文字列とが所定の関係となることから、前記のようにして決定された第二の画像情報（第二の文字列を表す）の配布順序は、前記第一の文字列に対する前記所定の規則に従った順序付けと第一の文字列と第二の文字列との間の所定の関係とに従ったものとなる。従って、第二のオペレータ端末には、前記第一の文字列に対する前記所定の規則に従った順序付けに第一の文字列と第二の文字列との間の所定の関係をもって対応した配布順序にて所定数の第二の画像情報が送信される。
【０００９】
このような配布順序に従って所定数の第二の画像情報が第二のオペレータ端末に送信されると、第二のオペレータ端末では、その順序に従って所定数の第二の画像情報のそれぞれにて表される第二の文字列に対応した第二の文字データの入力操作を行うことができるようになる。即ち、第二のオペレータ端末では、前記第一の文字列に対する前記所定の規則に従った順序付けに第一の文字列と第二の文字列との間の所定の関係をもって対応した順序にて、所定数の第二の画像情報のそれぞれにて表される第二の文字列に対応した第二の文字データの入力操作を行うことができるようになる。
【００１０】
その第二の文字データが第二のオペレータ端末から受信されると、該第二の文字データに対応した第二の文字列を表す第二の画像情報と関連付けられた第一の画像情報にて表される第一の文字列に対応した第一の文字データとが関連付けてデータ格納手段に格納される。これにより、所定の関係となる第一の文字列と第二の文字列とを表す第一の画像情報と第二の画像情報が、第一の文字列と第二の文字列に対応した第一の文字データと第二の文字データに変換されて、それらの文字データ関連付けられてデータ格納手段に蓄積される。
【００１１】
前記第一のオペレータ端末及び第二のオペレータ端末は、同一のコンピュータ装置で構成されても、別々のコンピュータ装置にて構成されてもよい。また、それらが別々のコンピュータ装置にて構成される場合、第一のオペレータ端末をイメージ処理装置に接続するネットワークと、第二のオペレータ端末をイメージ処理装置に接続するネットワークとは
、同じであっても、異なるものであってもよい。
【００１２】
前記イメージ処理装置は、単一のコンピュータ装置で構成されるものであっても、相互に接続された複数のコンピュータ装置で構成されるものであってもよい。
【００１３】
前記第一のオペレータ端末に送信する第一の画像情報の数（所定数）、第二の画像情報の配布順序を決定するために必要となる第一のオペレータ端末から受信する第一の文字データの数（所定数）、及び第二のオペレータ端末に送信する第二の画像情報の数（所定数）は、それぞれ、同じであっても異なっていてもよい。
【００１４】
また、本発明に係るイメージ処理装置は、前記画像配布順序決定手段が、前記第一の文字データにて表される文字列の先頭から所定文字数分の文字にて表されるファイル名にて特定されるファイルとして前記第一の文字データを前記第一のオペレータ端末から受信する毎に該ファイル名を蓄積する待ち行列蓄積手段と、前記待ち行列蓄積手段に蓄積された所定数のファイル名を前記所定の規則に従った順序付けの順番にてソートするソート手段とを有し、前記ソート手段にてソートされた前記所定数のファイル名の順番にて、前記第二の画像情報の配布順序を決定する構成とすることができる。
【００１５】
このような構成によれば、それぞれ第一の文字データのファイル名を特定する所定数のファイル名が第一の文字列に対する所定の規則に従った順序付けの順番にソートされ、そのソートされた所定数のファイル名の順番にて、第二の画像情報の配布順序が決定される。前記ファイル名は、それが特定するファイルの第一の文字データにて表される文字列の先頭から所定文字数分の文字列にて表されることから、前記第二の画像情報の配布順序は、前記所定数の第一の文字データにて表される所定数の文字列の前記所定の規則に従った順序付けの順番に対応するものとなる。
【００１６】
本発明に係るイメージ処理装置は、前記第一の文字列がカナ文字列であり、前記第二の文字列が該かな文字列に対応した漢字文字列である構成とすることができる。
【００１７】
このような構成によれば、漢字文字列を表す第二の画像情報の配布順序は、その漢字文字列に対応したカナ文字列に対する所定の順序付けの順番に対応したものとなる。従って、第二のオペレータ端末では、カナ文字列に対する所定の順序付けの順番に対応した順序に従って第二の画像情報が表す漢字文字列に対応した第二の文字データの入力操作を行うことができるようになる。
【００１８】
更に、本発明に係るイメージ処理装置は、前記所定の規則に従った順序付けが、５０音順に従った順序付けである構成とすることができる。
【００１９】
このような構成によれば、漢字文字列を表す第二の画像情報の配布順序を５０音順に従った順番とすることができ、第二のオペレータ端末では、第二の画像情報が表す漢字文字列に対応した第二の文字データの入力操作を５０音順に従って行うことができるようになる。
【００２０】
また、本発明に係るイメージ処理装置は、前記第一の文字列の文字数が、前記第二の文字列の文字数より少ない構成とすることができる。
【００２１】
このような構成により、より多い文字数となる第二の文字列を表す第二の画像情報に対応した第二の文字データの入力操作をより少ない文字数となる第一の文字列に対する所定の規則に従った順序付けの順番に対応した順番にて行なうことができるようになる。従って、第一の画像情報を表す第一の文字列に対応した第一の文字データ及び第二の画像情報
を表す第二の文字列に対応した第二の文字データの入力操作を全体として効率的に行うことができるようになる。
【００２２】
更に、本発明に係るイメージ処理装置は、前記第一の文字列が郵便番号を表す文字列であり、前記第二の文字列が該郵便番号に対応した住所を表す文字列である構成とすることができる。
【００２３】
このような構成によれば、住所を表す第二の画像情報の配布順序は、その住所に対応した郵便番号に対する所定の順序付けの順番に対応したものとなる。従って、第二のオペレータ端末では、郵便番号に対する所定の順序付けの順番に対応した順序に従って第二の画像情報が表す住所に対応した第二の文字データの入力操作を行うことができるようになる。
【００２４】
また、本発明に係るイメージ処理装置は、前記所定の規則に従った順序付けが、郵便番号の昇順または降順に従った順序付けである構成とすることができる。
【００２５】
このような構成により、住所を表す第二の画像情報の配布順序を郵便番号の昇順または降順に従った順番に対応したものとすることができ、第二のオペレータ端末では、第二の画像情報が表す住所に対応した第二の文字データの入力操作を郵便番号の昇順または降順に従った順番に対応した順番にて行なうことができるようになる。
【００２６】
本発明に係るイメージ処理方法は、第一のオペレータ端末及び第二のオペレータ端末が所定のネットワークを介して接続された装置でのイメージ処理方法であって、少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段に蓄積された所定数の第一の画像情報を表示に供すべき情報として前記所定のネットワークを介して前記第一のオペレータ端末に送信する第一の画像情報送信ステップと、前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定ステップと、前記画像配布決定ステップにて決定された配布順序に従って前記画像情報蓄積手段に蓄積された所定数の第二の画像情報を表示に供すべき情報として前記所定のネットワークを介して前記第二のオペレータ端末に送信する第二の画像情報送信ステップと、前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御ステップとを有する構成となる。
【００２７】
また、本発明に係るイメージ処理方法は、前記画像配布順序決定ステップが、前記第一の文字データにて表される文字列の先頭から所定文字数分の文字にて表されるファイル名にて特定されるファイルとして前記第一の文字データを前記第一のオペレータ端末から受信する毎に該ファイル名を待ち行列蓄積手段に蓄積する待ち行列制御ステップと、前記待ち行列蓄積手段に蓄積された所定数のファイル名を前記所定の規則に従った順序付けの順番にてソートするソートステップとを有し、前記ソートステップにてソートされた前記所定数のファイル名の順番にて、前記第二の画像情報の配布順序を決定する構成とすることができる。
【００２８】
本発明に係るプログラムは、第一のオペレータ端末及び第二のオペレータ端末が所定のネットワークを介して接続されたコンピュータ装置での処理ステップを実行させるためのプログラムであって、少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段に蓄積された所定数の第一の画像情報を表示に供すべき情報として前記所定のネットワークを介して前記第一のオペレータ端末に送信する第一の画像情報送信ステップと、前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定ステップと、前記画像配布決定ステップにて決定された配布順序に従って前記画像情報蓄積手段に蓄積された所定数の第二の画像情報を表示に供すべき情報として前記所定のネットワークを介して前記第二のオペレータ端末に送信する第二の画像情報送信ステップと、前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御ステップとを前記コンピュータ装置に実行させる構成となる。
【００２９】
また、本発明に係るプログラムは、前記画像配布順序決定ステップが、前記第一の文字データにて表される文字列の先頭から所定文字数分の文字にて表されるファイル名にて特定されるファイルとして前記第一の文字データを前記第一のオペレータ端末から受信する毎に該ファイル名を待ち行列蓄積手段に蓄積する待ち行列制御ステップと、前記待ち行列蓄積手段に蓄積された所定数のファイル名を前記所定の規則に従った順序付けの順番にてソートするソートステップとを有し、前記ソートステップにてソートされた前記所定数のファイル名の順番にて、前記第二の画像情報の配布順序を決定する構成とすることができる。
【００３０】
本発明に係るイメージ処理システムは、イメージ処理装置と、該イメージ処理装置に所定のネットワークを介して接続された第一のオペレータ端末と、前記イメージ処理装置に所定のネットワークを介して接続された第二のオペレータ端末とを備え、前記イメージ処理装置は、少なくとも、所定の規則に従って順序付けのなされるべき第一の文字列を表す第一の画像情報と、前記第一の文字列と所定の関係となる第二の文字列を表す第二の画像情報とをそれぞれ関連付けて蓄積する画像情報蓄積手段と、前記画像情報蓄積手段に蓄積された所定数の第一の画像情報を前記所定のネットワークを介して前記第一のオペレータ端末に送信する第一の画像情報送信手段とを有し、前記第一のオペレータ端末は、第一の表示ユニットと、前記イメージ処理装置から受信した第一の画像情報に基づいて前記第一の文字列を前記第一の表示ユニットに表示させる第一の表示制御手段と、オペレータの入力操作に応じて前記第一の表示ユニットに表示された第一の文字列に対応した第一の文字データを入力する第一の文字データ入力手段と、前記第一の文字データ入力手段にて入力された第一の文字データを前記所定のネットワークを介して前記イメージ処理装置に送信する第一の文字データ送信手段とを備え、前記イメージ処理装置は、前記送信された第一の画像情報にて表される第一の文字列に対応した第一の文字データを前記第一のオペレータ端末から所定数受信したときに、該所定数の第一の文字データにて表される所定数の文字列の前記所定の規則に従った順序付けの順番にて、前記所定数の第一の文字データのそれぞれに対応した第一の文字列を表す第一の画像情報に関連付けられた第二の画像情報の配布順序を決定する画像配布順序決定手段と、前記画像配布決定手段にて決定された配布順序に従って前記画像情報蓄積手段に蓄積された所定数の第二の画像情報を前記所定のネットワークを介して前記第二のオペレータ端末に送信する第二の画像情報送信手段とを有
し、前記第二のオペレータ端末は、第二の表示ユニットと、前記イメージ処理装置から受信した第二の画像情報に基づいて前記第二の文字列を前記第二の表示ユニットに表示させる第二の表示制御手段と、オペレータの入力操作に応じて前記第二の表示ユニットに表示された第二の文字列に対応した第二の文字データを入力する第二の文字データ入力手段と、前記第二の文字データ入力手段にて入力された第二の文字データを前記所定のネットワークを介して前記イメージ処理装置に送信する第二の文字データ送信手段とを備え、前記イメージ処理装置は、更に、前記第二のオペレータ端末から受信される前記送信された第二の画像情報にて表される第二の文字列に対応した第二の文字データと、該第二の文字データに対応した第二の文字列を表す第二の画像情報と関連付けられた第一の画像情報にて表される第一の文字列に対応した第一の文字データとを関連付けてデータ格納手段に格納するデータ格納制御手段を有する構成となる。
【００３１】
前記第一のオペレータ端末及び第二のオペレータ端末は、同一のコンピュータ装置で構成されても、別々のコンピュータ装置にて構成されてもよい。また、それらが別々のコンピュータ装置にて構成される場合、第一のオペレータ端末をイメージ処理装置に接続するネットワークと、第二のオペレータ端末をイメージ処理装置に接続するネットワークとは、同じであっても、異なるものであってもよい。
【００３２】
前記イメージ処理装置は、単一のコンピュータ装置で構成されるものであっても、相互に接続された複数のコンピュータ装置で構成されるものであってもよい。
【００３３】
前記第一のオペレータ端末に送信する第一の画像情報の数（所定数）、第二の画像情報の配布順序を決定するために必要となる第一のオペレータ端末から受信する第一の文字データの数（所定数）、及び第二のオペレータ端末に送信する第二の画像情報の数（所定数）は、それぞれ、同じであっても異なっていてもよい。
【００３４】
また、本発明に係るイメージ処理システムは、前記第一のオペレータ端末が、前記第一の文字データ入力手段にて入力された第一の文字データにて表される文字列の先頭から所定文字数分の文字にて表されるファイル名にて特定されるファイルとして前記第一の文字データを前記第一の文字データ送信手段に送信させる制御手段を有し、前記イメージ処理装置における前記画像配布順序決定手段が、前記ファイルとして前記第一の文字データを受信する毎に、前記ファイルを特定するファイル名を待ち行列蓄積手段に蓄積する待ち行列蓄積制御手段と、前記待ち行列蓄積手段に蓄積された所定数のファイル名を前記所定の規則に従った順序付けの順番にてソートするソート手段とを有し、前記ソート手段にてソートされた前記所定数のファイル名の順番にて、前記第二の画像情報の配布順序を決定する構成とすることができる。
【発明の効果】
【００３５】
本発明に係るイメージ処理装置、方法及びプログラム並びにイメージ処理システムによれば、第二のオペレータ端末には、前記第一の文字列に対する前記所定の規則に従った順序付けに第一の文字列と第二の文字列との間の所定の関係をもって対応した配布順序にて所定数の第二の画像情報が送信される。そして、第二のオペレータ端末では、その配布順序に従って所定数の第二の画像情報のそれぞれにて表される第二の文字列に対応した第二の文字データの入力操作を行うことができるようになる。このため、所定数の第二の画像情報のそれぞれにて表される第二の文字列に対応した第二の文字データの入力操作を、第二の文字列と所定の関係となる第一の文字列に対する所定の規則に従った順序付けの順番に依存した順番にて行なうことができるようになり、前記第二の文字データの効率的な入力操作を行うことができるようになる。
【００３６】
従って、文字列を表す画像情報からその文字列に対応した文字データをより効率的に取
得することのできるイメージ処理装置、方法及びプログラム並びにそのようなイメージ処理装置が適用されるイメージ処理システムを実現することができる。
【発明を実施するための最良の形態】
【００３７】
以下、本発明の実施の形態について、図面に基づいて説明する。
【００３８】
本発明の実施の一形態に係るイメージ処理システムの処理の対象となる画像を有する帳票は、例えば、図１に示すように構成されている。
【００３９】
図１において、シート状となる帳票１０の表面１０ａには、それぞれ文字及び線にて構成されたカナ氏名欄１１ａ、漢字氏名欄１２ａ、郵便番号欄１３ａ、住所欄１４ａ、電話番号欄１５ａ、名義欄１６ａ及びその他の欄が可視インクにて可視画像として印刷されている。また、帳票１０の裏面１０ｂには、それぞれ予め定めた位置に、カナ氏名欄１１ａに関連付けられたバーコード（以下、カナ氏名欄バーコードという）１１ｂ、漢字氏名欄１２ａに関連付けられたバーコード（以下、漢字氏名欄バーコードという）１２ｂ、郵便番号欄１３ａに関連付けられたバーコード（以下、郵便番号欄バーコードという）１３ｂ、住所欄１４ａに関連付けられたバーコード（以下、住所欄バーコードという）１４ｂ、電話番号欄１５ａに関連付けられたバーコード（以下、電話番号欄バーコードという）１５ｂ及び名義欄１６ａに関連付けられたバーコード（以下、名義欄バーコードという）１６ｂが不可視インクにて不可視画像として印刷されている。前記不可視インクとは、従来から知られている自然光のもとでは視認することができず、特殊な波長の光（例えば、紫外線）を照射することにより視認することができる画像の印刷に用いられるインクである。従って、前記各バーコード１１ｂ〜１６ｂは、帳票１０条では通常肉眼で視認することができない。
【００４０】
前記各バーコードは、帳票１０の種類を特定するための文書識別コード、帳票毎に発番された受付コード、関連付けられた欄（カナ氏名欄、漢字氏名欄等）を特定する項目コード、及び関連付けられた欄を含む所定領域（矩形領域）の帳票１０（１０ａ）内での位置情報（例えば、矩形領域の各頂点の位置座標）を表す位置座標コードを少なくとも含んでいる。
【００４１】
帳票１０の表面１０ａに印刷された各欄１１ａ〜１６ａには、手書きにより文字が記入される。即ち、カナ氏名欄１１ａには氏名がカナ文字（例えば、「モリタ  ヒロユキ」）で、漢字氏名欄１２ａにはその氏名が漢字（例えば、「森田  祐行」）で、郵便番号欄１３ａには住所の郵便番号が、住所欄１４ａには住所が、電話欄１５ａには電話番号が、名義欄１６ａには名義人に関する事項が、それぞれ手書きによって記入される。
【００４２】
本発明の実施の形態に係るイメージ処理システムは、図２に示すように構成される。
【００４３】
図２において、このシステムは、処理サーバ１００（イメージ処理装置）、帳票読み取り端末１１０、イメージスキャナ１２０、及び複数のオペレータ端末２１１（１）、・・・、２１１（ｎ）、２２１（１）、・・・、２２１（ｍ）、・・・がそれぞれＬＡＮに接続された構成となっている。このシステムでは、オペレータ端末２１１（１）〜２１１（ｎ）は、帳票１０のカナ氏名欄１１ａに記入されたカナ氏名に対応したカナ文字データを入力するための端末群２１０として、オペレータ端末２２１（１）〜２２１（ｍ）は、帳票１０の漢字氏名欄１２ａに記入された漢字氏名に対応した漢字氏名文字データを入力するための端末群２２０として利用される。なお、図示していないが、郵便番号欄１３ａに記入され郵便番号に対応した数字データを入力するための端末群、住所欄１４ａに記入された住所に対応した文字データを入力するための端末群、電話欄１５ａに記入された電話番号に対応した数字データを入力するための端末群、名義欄１６ａに記入された名義人に
関する事項に対応した文字データを入力するための端末群も、前記複数のオペレータ端末に含まれる。
【００４４】
イメージスキャナ１２０は、可視画像の読み取りに用いられる光源（例えば、ＬＥＤ）と、不可視画像の読み取りに用いられる光源（例えば、紫外線光源）とを有し、帳票読み取り端末１１０の制御のもと、前述したように帳票１０の表面に形成された可視画像（各欄及び各欄に記載された手書き文字の画像を含む）及びその裏面１０ｂに形成された不可視画像（各欄に関連付けられたバーコードの画像を含む）を帳票１０に対する１度の走査で光学的に読み取る。１枚の帳票１０について可視画像及び不可視画像の読み取りがなされる毎に、イメージスキャナ１２０から前記可視画像を表す画像情報（以下、文書画像情報という）と前記不可視画像を表す画像情報（以下、バーコード画像情報という）とが対になって帳票読み取り端末１１０に取り込まれる。
【００４５】
帳票読み取り端末１１０は、対となる前記文書画像情報及びバーコード画像情報を取り込むと、前記バーコード画像情報から、図３に示すように帳票１０の裏面１０ｂの予め定めた位置に印刷されたカナ氏名欄バーコード１１ｂ、漢字氏名欄バーコード１２ｂ、郵便番号欄バーコード１３ｂ、住所欄バーコード１４ｂ、電話番号欄バーコード１５ｂ、及び名義人欄バーコード１６ｂを抽出し、更に各バーコードから、文書識別コード、受付コード、項目コード及び位置座標コードを読み取る。そして、帳票読み取り端末１１０は、前記読み取った文書識別コード、受付コード、項目コード及び位置座標コードをグループ化すると共に、その各コードグループの位置座標コードに基づいて前記取り込んだ文書画像情報から対応する欄の画像を表す分割画像情報を切り出す。これにより、図４に示すように、カナ氏名欄１１ａに対応した分割画像情報１１、漢字氏名欄１２ａに対応した分割画像情報１２、郵便番号欄１３ａに対応した分割画像情報１３、住所欄１４ａに対応した分割画像情報１４、電話番号欄１５ａに対応した分割画像情報１５及び名義欄１６ａに対応した分割画像情報１６が得られる。各分割画像情報１１〜１６には、当該分割画像情報を特定するためのパラメータ１〜６が対応付けられる。
【００４６】
各分割画像情報を特定するためのパラメータは、文書識別コード、受付コード、項目コード及びその分割画像情報のファイル名（イメージファイル名）を含む。このようにして、例えば、カナ氏名欄１１ａに対応した分割画像情報１１は、帳票１０の種類を特定する文書識別コード、各帳票１０に対して発番された受付コード、帳票１０においてカナ氏名欄１１ａを特定する項目コード及び文書画像情報１１のイメージファイル名にて特定されることとなる。
【００４７】
帳票読み取り端末１１０は、１枚の帳票１０について、各分割画像情報に対するパラメータ（文書識別コード、受付コード、項目コード及びイメージファイル名）を生成する毎に、各分割画像情報及びパラメータを対にして処理サーバ１００に送る。処理サーバ１００は、帳票１０の表面１０ａに印刷された各欄を表す前記分割画像情報と対となるパラメータから、図５に示すような管理レコードを生成し、各分割画像情報をこの管理レコード（基本キー）によって関連付けた状態でデータベース（記憶装置）に蓄積する。
【００４８】
処理サーバ１００は、図６に示す手順（図７及び図１１に示す手順を含む）に従った処理を実行させるためのプログラムがインストールされており、このプログラムに従ってその処理を実行する。なお、このプログラムは、ＣＤ−ＲＯＭ、半導体メモリ等の記憶媒体によって処理サーバ１００に提供することも、また、所定のネットワークを介して提供することもできる。
【００４９】
図６において、処理サーバ１００は、前述したようなイメージスキャナ１２０による帳票１０の読み取りに起因して各分割画像情報及びパラメータを帳票読み取り端末１１０か
ら受信する毎に、各分割画像データに対応した管理レコード（図５参照）をキュー１０１に蓄積する。このような処理の過程で、処理サーバ１００は、図７に示す手順に従って処理を実行する。即ち、キュー１０１を監視し（Ｓ１）、キュー１０１に蓄積された管理レコードにて特定される読み込み画像ファイル（１枚の帳票１０についての分割画像情報のファイルのセット）が所定数に達したか否かを判定する（Ｓ２）。そして、その読み込み画像ファイルが所定数に達したとの判定がなされると（Ｓ２でＹＥＳ）、処理サーバ１００は、カナ氏名入力のための端末群２１０となるオペレータ端末２１１（１）、２１１（２）、・・・、２１１（ｎ）にカナ氏名欄１１ａに対応した分割画像情報１１のファイル（カナ氏名文字列画像ファイル）を所定数ずつ配信する（Ｓ３）。なお、カナ氏名文字列画像ファイルの各オペレータ端末２１１（１）、２１１（２）、・・・、２１１（ｎ）への配信は、各オペレータ端末からの要求に応じて行なっても、また、処理サーバ１００から能動的に行なってもよい。
【００５０】
各オペレータ端末２１１（１）、２１１（２）、・・・、２１１（ｎ）は、図８に示す手順に従った処理を実行させるためのプログラムがインストールされており、このプログラムに従ってその処理を実行する。なお、このプログラムは、ＣＤ−ＲＯＭ、半導体メモリ等の記憶媒体によって各オペレータ端末に提供することも、また、所定のネットワークを介して提供することもできる。以下、各オペレータ端末２１１（１）、（２）２１１（２）、・・・、２１１（ｎ）を総称的に述べる場合には参照番号２１１を用いる。
【００５１】
図８において、オペレータ端末２１１は、処理サーバ１００からカナ氏名文字列画像ファイル（カナ氏名欄１１ａを表す分割画像情報１１）を所定数（例えば、６つ）受信すると、カナ氏名文字列の画像表示処理を行なう（Ｓ１１）。その結果、図９に示すように、オペレータ端末２１１の表示画面に６つの文字画像表示欄２１３ａ、２１４ａ、２１５ａ、２１６ａ、２１７ａ、２１８ａが形成され、各文字画像表示欄に分割画像情報１１（カナ氏名文字列画像ファイル）にて表されるカナ氏名欄１１ａの画像が表示される。なお、図９に示す例では、説明を簡略化するために、カナ氏名欄１１ａに手書き記入されたカナ氏名の文字列画像だけが示されている。また、オペレータ端末２１１の表示画面には、文字画像表示欄２１３ａ〜２１８ａのそれぞれに対応したカナ入力欄２１３ｂ、２１４ｂ、２１５ｂ、２１６ｂ、２１７ｂ、２１８ｂが形成される。
【００５２】
この状態で、オペレータ端末２１１のオペレータが入力ユニット（例えば、キーボード）を用いて文字画像表示欄２１３ａ〜２１８ａのそれぞれに対応したカナ入力欄２１３ｂ〜２１８ｂに対してカナ氏名画像に対応したカナ文字の入力操作を行う。オペレータ端末２１１は、そのカナ文字の入力操作に応じてカナ氏名文字データの入力処理を行なう（Ｓ１２）。この入力処理により、各カナ入力欄２１３ｂ〜２１８ｂには、入力されたカナ氏名文字が表示される。例えば、カナ氏名文字列画像「モリタ  ユミ」の表示される文字画像表示欄２１３ａに対応したカナ入力欄２１３ｂには、入力されたカナ氏名文字「モリタ
ユミ」が表示される。
【００５３】
次いで、オペレータが入力ユニットを用いて所定の操作を行うと、オペレータ端末２１１は、各カナ入力欄２１３ｂ〜２１８ｂに表示されたカナ氏名文字の先頭から所定文字数分の文字（例えば、文字に対応したＪＩＳコード）にて表されるファイル名を生成し（Ｓ１３）、当該カナ氏名文字に対応したカナ氏名文字データを前記ファイル名にて特定されるファイルとして処理サーバ１００に送信する（Ｓ１４）。以後、オペレータ端末２１１は、処理サーバ１００から送信されたカナ氏名欄１１ａを表す分割画像情報１１が存在する間（Ｓ１５でＹＥＳ）、オペレータの操作に従った前記処理（Ｓ１１〜Ｓ１４）と同様の処理を行なう。
【００５４】
処理サーバ１００は、オペレータ端末２１１からカナ氏名文字データのファイル（ファ
イル名）を受信すると、そのカナ氏名文字データをデータベースに蓄積すると共に、図１０に示すように、そのカナ氏名文字データに対応した分割画像情報１１を管理するための管理レコードにそのカナ氏名文字データのファイル名（文字データファイル名）を追加する。
【００５５】
図６に戻って、処理サーバ１００は、カナ氏名入力のための端末群２１０となるオペレータ端末２１１（１）、２１１（２）、・・・、２１１（ｎ）のいずれかからカナ氏名文字データのファイルを受信する毎に、前記文字データファイル名の追加された（図１０参照）管理レコードをキュー１０２に蓄積する。このような処理の過程で、処理サーバ１００は、図１１に示す手順に従って処理を実行する。即ち、キュー１０２を監視し（Ｓ２１）、キュー１０２に蓄積された管理レコードにて特定されるカナ氏名文字データのファイルが所定数に達したか否かを判定する（Ｓ２２）。そして、そのカナ氏名文字データのファイルが所定数に達したとの判定がなされると（Ｓ２２でＹＥＳ）、処理サーバ１００は、その所定数のカナ氏名文字データのファイル名を５０音順（ＪＩＳコードの昇順）に従ってソートすることにより、そのカナ氏名文字データのファイルを特定する管理レコードのソーティングを行なう（図６における１０３、図１１におけるＳ２３）。このソーティングされたカナ氏名文字データのファイル名の順番にて、そのカナ氏名文字データにて表されるカナ氏名文字（カナ氏名欄１１ａ）に対応した漢字氏名文字（漢字氏名欄１２ａ）の分割画像情報１２の配布順序が決定される。
【００５６】
処理サーバ１００は、その決定された配布順序に従って、漢字氏名欄１２ａに対応した分割画像情報１２のファイル（漢字氏名文列字画像ファイル）を漢字氏名入力のための端末群２２０となる各オペレータ端末２２１（１）、２２１（２）、・・・、２２１（ｍ）に所定数ずつ配信する（Ｓ２４）。なお、漢字氏名文字画像ファイルの各オペレータ端末２２１（１）、２２１（２）、・・・、２２１（ｍ）への配信は、各オペレータ端末からの要求に応じて行なっても、また、処理サーバ１００から能動的に行なってもよい。
【００５７】
各オペレータ端末２２１（１）、２２１（２）、・・・、２２１（ｍ）は、図１２に示す手順に従った処理を実行させるためのプログラムがインストールされており、このプログラムに従ってその処理を実行する。なお、このプログラムは、ＣＤ−ＲＯＭ、半導体メモリ等の記録媒体によって各オペレータ端末に提供することも、また、所定のネットワークを介して提供することもできる。以下、各オペレータ端末２２１（１）、２２１（２）、・・・、２２１（ｍ）を総称的に述べる場合には参照番号２２１を用いる。
【００５８】
図１２において、オペレータ端末２２１は、処理サーバ１００から漢字氏名文字列画像ファイル（漢字氏名欄１２ａを表す分割画像情報１２）を所定数（例えば、６つ）受信すると、漢字氏名文字列の画像表示処理を行なう（Ｓ３１）。その結果、図１３に示すように、オペレータ端末２２１の表示画面に６つの文字画像表示欄２２３ａ、２２４ａ、２２５ａ、２２６ａ、２２６ａ、２２７ａ、２２８ａが形成され、各文字画像表示欄に分割画像情報１２ａ（漢字氏名文字列ファイル）にて表される漢字氏名欄１２ａの画像が表示される。なお、図１３に示す例では、説明を簡略化するために、漢字氏名欄１２ａに手書き記入された漢字氏名の文字列画像だけが示されている。この場合、漢字氏名文字列画像ファイルはそれが表す漢字氏名に対応したカナ氏名の５０音順に従って配信されることから、各文字画像表示欄２２３ａ〜２２８ａには、５０音順に従った順序で漢字氏名の文字画像（例えば、「森田  一夫」、「森田  四郎」、「森田  次郎」、「森田  太郎」、「森田  一」、「森田  由美」）が表示されることとなる。
【００５９】
また、オペレータ端末２２１の表示画面には、文字画像表示欄２２３ａ〜２２８ａのそれぞれに対応した漢字入力欄２２３ｂ、２２３ｃ、２２４ｂ、２２４ｃ、２２５ｂ、２２５ｃ、２２６ｂ、２２６ｃ、２２７ｂ、２２７ｃ、２２８ｂ、２２８ｃが形成される。各
文字画像表示欄に対応した一方の漢字入力欄２２３ｂ（２２４ｂ、２２５ｂ、２２６ｂ、２２７ｂ、２２８ｂ）は漢字氏名のうちの「姓」を入力するための欄であり、他方の漢字入力欄２２３ｃ（２２４ｃ、２２５ｃ、２２６ｃ、２２７ｃ、２２８）は、漢字氏名のうちの「名」を入力するための欄である。
【００６０】
この状態で、オペレータ端末２２１のオペレータは、入力ユニットを用いて文字画像表示欄２２３ａ〜２２８ａのそれぞれに対応した漢字入力欄２２３ｂ〜２２８ｂ、２２３ｃ〜２２８ｃに対して漢字氏名画像に対応した漢字文字の入力操作を行う。そして、オペレータ端末２２１は、その漢字文字の入力操作に応じて漢字氏名文字データの入力処理を行なう（Ｓ３２）。この場合、文字画像表示欄２２３ａ〜２２８ａには漢字氏名が５０音順に従って並ぶことになるので、文字画像表示欄２２３ａに対応する漢字入力欄２２３ｂに入力した「姓」の文字列（森田）のコピー操作により、その「姓」と同じ「姓」の漢字氏名画像の表示された文字画像表示欄２２４ａ、２２２５ａ等に対応する漢字入力欄２２４ｂ、２２５ｂ等に当該「姓」の文字列（森田）を入力することができる（図１３における破線参照）。また、同じ音の漢字を連続的に入力することができるようになる。このように、文字画像表示欄２２３ａ〜２２８ａに漢字氏名が５０音順に従って並ぶので、その漢字氏名の文字列を効率的に入力することができるようになる。以上のようなコピー操作は、各オペレータ端末２２１の情報処理プログラムがオペレータのカーソル移動（リターンキー入力、タブ入力等）を検知し、移動前の漢字入力欄からカーソル移動後の漢字入力欄に対して実行すればよい。
【００６１】
次いで、オペレータが入力ユニットを用いて所定の操作を行うと、オペレータ端末２２１は、各漢字入力欄対（２２３ｂ、２２３ｃ）、（２２４ｂ、２２４ｃ）、（２２５ｂ、２２５ｃ）、（２２６ｂ、２２６ｃ）、（２２７ｂ、２２７ｃ）、（２２８ｂ、２２８ｃ）に表示された漢字氏名に対応した漢字氏名文字データに対してファイル名を生成し（Ｓ３３）、当該漢字氏名文字データを前記ファイル名にて特定されるファイルとして処理サーバ１００に送信する（Ｓ３４）。以後、オペレータ端末２２１は、処理サーバ１００から送信された漢字氏名欄１２ａを表す分割画像情報１２が存在する間（Ｓ３５でＹＥＳ）、オペレータの操作に従った前記処理（Ｓ３１〜Ｓ３４）と同様の処理を行なう。
【００６２】
処理サーバ１００は、オペレータ端末２２１から漢字氏名文字データのファイルを受信すると、その漢字氏名文字データをデータベースに蓄積すると共に、漢字氏名文字データに対応した分割画像１２を管理するための管理レコード（文書識別コード、受付コード、項目コード（漢字氏名欄１２ａを特定）、イメージファイル名）にその漢字氏名文字データのファイル名（文字データファイル名）を追加する（図１０参照）。これにより、前述したようなカナ氏名文字データのファイル名の追加された管理レコード（基本キー）及びそのカナ氏名文字データが表わすカナ氏名に対応した漢字氏名を表す漢字氏名文字データのファイル名が追加された管理レコード（基本キー）により関連付けられたカナ氏名文字データと漢字氏名文字データとがデータベース１０５（図６参照）に蓄積されることとなる。ただし、図１の説明においてすでに述べたように、本イメージ処理システムでは、管理レコード（基本キー）の基になる文書識別コード、受付コード等は帳票１０において不可視インクにて印刷されている。したがって、帳票１０を用いて情報の入力する場合に、帳票１０上で特定される個人の氏名、住所等の属性、プライバシに関わる情報が管理レコードに含まれる文書識別コードあるいは受付コード等と関連付けて人（例えば、文字情報を入力するオペレータ、または、帳票１０の取扱者等）に把握される可能性は極めて低い。
【００６３】
郵便番号欄１３ａに対応した分割画像情報１３と住所欄１４ａに対応した分割画像情報１４とについても、前述したカナ氏名欄１１ａに対応した分割画像情報１１と漢字氏名欄１２ａに対応した分割処理情報１２に対する処理と同様の処理が処理サーバ１００と他の
オペレータ端末にて行なわれる。これにより、郵便番号欄１３ａに対応した分割画像情報を入力するオペレータ端末では、オペレータの操作に従って入力された郵便番号文字データに対してその郵便番号の先頭から所定文字数分の文字にて表されるファイル名が生成され、そのファイル名にて特定される郵便番号文字データのファイルがオペレータ端末から処理サーバ１００に送られる。そして、処理サーバ１００は、所定数の郵便番号文字データのファイル名を昇順または降順に従ってソートすることにより、その郵便番号文字データのファイルを特定する管理レコードのソーティングを行なう。そして、そのソーティングされた郵便番号文字データのファイル名の順番にて、その郵便番号文字データにて表される郵便番号に対応した住所（郵便番号の文字数より多い文字数となる）の分割画像情報１４の配布順序が決定される。
【００６４】
その決定された配布順序に従って住所欄１４ａに対応した分割画像情報１４のファイル（住所文字列画像ファイル）が処理サーバ１００からオペレータ端末に配信される。各オペレータ端末では、昇順または降順に順序付けされた郵便番号に対応した住所画像が順番に表示されるので、オペレータは、同じ地域（都道府県）の住所を表す住所文字データを連続的に入力できるようになり、効率的な入力操作を行うことができるようになる。
【００６５】
なお、電話欄１５ａに対応した分割画像情報１５及び名義欄１６ａに対応した分割画像情報１６については、カナ氏名欄１１ａに対応した分割画像情報１１及び郵便番号欄１３に対応した分割画像情報１３に対する処理と同様の処理がなされ、電話番号を表す電話番号文字データ及び名義人事項文字データが処理サーバ１００のデータベースに蓄積される。
【００６６】
上述したような処理により、処理サーバ１００のデータベースには、１枚の帳票１０に手書き記入されたカナ氏名、漢字氏名、郵便番号、住所、電話番号、名義人に関する事項を表すカナ氏名文字データ、漢字氏名文字データ、郵便番号文字データ、住所文字データ、電話番号文字データ、名義人事項文字データが、図１０に示すような管理レコードによってそれぞれ対応付けられた状態でデータベースに蓄積される。各文字データは、例えば、所定のフォーマットに従った帳票の出力時等に利用され得る。
【００６７】
また、本イメージ処理システムでは、管理レコード（基本キー）の基になる文書識別コード、受付コード等は帳票１０において不可視インクにて印刷されている。したがって、帳票１０を用いて情報の入力する場合に、帳票１０上で特定される個人の氏名、住所等の属性、プライバシに関わる情報が管理レコードに含まれる文書識別コードあるいは受付コード等と関連付けて人（例えば、文字情報を入力するオペレータ、または、帳票１０の取扱者等）に把握される可能性は極めて低い。したがって、帳票１０を各種の申込み、または申請等に利用する場合に、申込者あるいは申請者の個人情報を第３者に把握されるおそれは極めて低い。
【００６８】
このような機能により、本イメージ処理システムは、金融機関、証券会社、クレジット会社、カード会社、各種ローン取引業者等の民間機関、市役所、税務署、警察等の公的機関などにおける各種の申込みまたは申請、ローン契約、割賦販売、運転免許証更新、各種組織への入会などのための申込みまたは申請において、個人情報を極めて安全に取り扱うことに寄与する。
【００６９】
なお、前述した実施の形態では、処理サーバ１００は、分割画像ファイル１１、１２、１３、１４、１５、１６をそれぞれ別の端末群に配信するようにしたが、全ての分割画像ファイルを一括して各オペレータ端末に配信し、各オペレータ端末において、特定の分割画像ファイルに対応した画像だけを表示させるようにすることもできる。また、各オペレータ端末では、単一種類の分割画像ファイルだけが処理されるものであったが、各オペレ
ータ端末において複数種類の分割画像ファイルを時間差をもって処理することも可能である。
【００７０】
また、前述した実施の形態では、関係する文字列として、カナ氏名と漢字氏名、郵便番号と住所を例に説明したが、銀号番号と銀行名の組み合わせなど、他の文字列の組み合わせについても同様の処理を行なうことができる。
【００７１】
上記実施の形態では、イメージスキャナにより帳票１０の分割画像を生成し、各々異なるイメージファイルに格納し、これらのファイルをセットにして、図５に示した管理レコードにより関連付けて処理した。しかし、本発明の実施は、このような構成および処理には限定されない。例えば、帳票１０から単一の画像を生成し、管理レコードには、各項目の座標情報を保持するようにしてもよい。
【００７２】
そして、例えば、カナ氏名入力の際には、カナ氏名部分の画像を切り取って文字画像表示欄に表示し、カナ氏名入力と管理レコードのカナ氏名によるソーティングとを実施し、漢字氏名入力の際には、漢字氏名部分の画像を切り取って文字画像表示欄に表示するようにすればよい。また、郵便番号入力の際には、郵便番号部分の画像を切り取って文字画像表示欄に表示し、郵便番号入力と管理レコードの郵便番号によるソーティングとを実施し、住所入力の際には、住所部分の画像を切り取って文字画像表示欄に表示するようにすればよい。また。金融機関のコードと金融機関名の入力も同様に実施できる。
【産業上の利用可能性】
【００７３】
以上、説明したように、本発明に係るイメージ処理装置、方法及びプログラム並びにイメージ処理システムは、文字列を表す画像情報からその文字列に対応した文字データをより効率的に取得することができるという効果を有し、文字列を表す画像情報に基づいてその文字列に対応した文字データを取得して保存するイメージ処理装置、方法及びプログラム並びにそのイメージ処理装置が適用されるイメージ処理システムとして有用である。
【図面の簡単な説明】
【００７４】
【図１】本発明の実施の形態に係るイメージ処理システムの処理の対象となる画像を有する帳票を示す図である。
【図２】本発明の実施の形態に係るイメージ処理システムを示す図である。
【図３】図２に示すイメージ処理システムにおけるイメージリーダにて読み取られるべき帳票を示す図である。
【図４】帳票から読み取られた画像から切り出された分割画像とその分割画像を特定するパラメータとの関係を示す図である。
【図５】図４に示すように切り出された分割画像を特定するための管理レコードの構成を示す図である。
【図６】図４に示すように切り出された分割画像情報の処理サーバでの処理手順を全体的に示す図である。
【図７】処理サーバがオペレータ端末にカナ氏名の分割画像情報を配信する処理手順を示すフローチャートである。
【図８】オペレータ端末におけるカナ氏名文字列の入力処理手順を示すフローチャートである。
【図９】カナ氏名文字列を入力するオペレータ端末の表示画面例を示す図である
【図１０】文字データを特定するための管理レコードの構成を示す図である。
【図１１】漢字氏名欄に対応した分割画像情報の配布順序を決定してその分割画像情報を配信する処理サーバでの処理手順を示すフローチャートである。
【図１２】オペレータ端末における漢字氏名文字列の入力処理手順を示すフローチャートである。
【図１３】漢字氏名文字列を入力するオペレータ端末の表示画面例を示す図である。
【符号の説明】
【００７５】
１０  帳票
１１  分割画像情報
１１ａ  カナ氏名欄
１１ｂ  カナ氏名欄バーコード
１２  分割画像情報
１２ａ  漢字氏名欄
１２ｂ  漢字氏名欄バーコード
１３  分割画像情報
１３ａ  郵便番号欄
１３ｂ  郵便番号欄バーコード
１４  分割画像情報
１４ａ  住所欄
１４ｂ  住所欄バーコード
１５  分割画像情報
１５ａ  電話番号欄
１５ｂ  電話番号欄バーコード
１６  分割画像情報
１６ａ  名義欄
１６ｂ  名義欄バーコード
１００  処理サーバ
１１０  帳票読み取り端末
１２０  イメージスキャナ
２１０、２２０  端末群
２１１（１）〜２１１（ｎ）  オペレータ端末
２２１（１）〜２２１（ｍ）  オペレータ端末
【図１】
2005202773.tif 000003
【図２】
2005202773.tif 000004
【図３】
2005202773.tif 000005
【図４】
2005202773.tif 000006
【図５】
2005202773.tif 000007
【図６】
2005202773.tif 000008
【図７】
2005202773.tif 000009
【図８】
2005202773.tif 000010
【図９】
2005202773.tif 000011
【図１０】
2005202773.tif 000012
【図１１】
2005202773.tif 000013
【図１２】
2005202773.tif 000014
【図１３】
2005202773.tif 000015